(57)【要約】【課題】利用者が欲しい情報を欲しい形式で得ることが可能な医用情報収集システムを提供すること。【解決手段】医用施設に設置された複数の医用機器により取得される、利用状況に関する利用情報及び前記医用機器自体に関する機器情報をネットワークを介して受信し、記憶する情報収集提供システム１３と、この装置にアクセスし前記利用情報及び機器情報の種類及び表示形式を設定情報として送信し、前記情報収集提供システムから前記設定情報に基づいて得られた情報を受信して表示するクライアント端末１２とから成る。【選択図】  図１
2004254952.tif 000002
【特許請求の範囲】
【請求項１】
医用機器の動作状況を示す機器情報をネットワークを介して収集し、その収集した機器情報に関する情報をネットワークを介して出力する情報提供方法において、
遠隔地の端末装置から利用者の識別情報とレポートの出力形式に関する情報を受信するステップと、
前記利用者の識別情報と前記出力形式の情報を関連付けてデータベースとして記憶するステップと、
前記機器情報に基づいて、前記データベースの利用者ごとに設定された出力形式でレポートを作成し、ネットワークを介して出力するステップを備えることを特徴とする情報収集提供方法。
【請求項２】
医用機器の動作状況を示す機器情報をネットワークを介して収集し、その収集した機器情報に関する情報をネットワークを介して出力する情報提供方法において、
遠隔地の端末装置から利用者の識別情報とレポートの配信時期に関する情報を受信するステップと、
前記利用者の識別情報と前記配信時期の情報を関連付けてデータベースとして記憶するステップと、
前記機器情報に基づいて、前記データベースの利用者ごとに設定された配信時期にレポートを作成し、そのレポートを電子メールで送信するステップと、
前記レポートをデータベースに記録するステップと、
遠隔地の端末装置から要求に応じて、前記データベースに記憶された過去のレポートを送信するステップを備えることを特徴とする情報収集提供方法。
【請求項３】
医用機器の動作状況を示す機器情報をネットワークを介して収集し、その収集した機器情報に関する情報をネットワークを介して出力する情報提供方法において、
遠隔地の端末装置から利用者の識別情報とレポートの配信条件に関する情報を受信するステップと、
前記利用者の識別情報と前記配信条件の情報を関連付けてデータベースとして記憶するステップと、
前記機器情報を分析して前記配信条件に合致するか判定し、合致した場合に前記機器情報に基づいてレポートを作成して、所定の出力先に出力するステップを備えることを特徴とする情報収集提供方法。
【請求項４】
ネットワークを介して送られてきた医用機器の動作状況を示す機器情報を記憶する第１のデータベースと、
遠隔地の端末装置からネットワークを介して送られてきたレポートの出力形式に関する情報を利用者の識別情報にそれぞれ関連付けて記憶する第２のデータベースと、
前記第１のデータベースに記憶された前記機器情報と前記第２のデータベースに記憶された前記出力形式に基づいて、前記医用機器に関するレポートを作成するレポート作成手段と、
前記レポート作成手段で作成したレポートを、ネットワーク経由で出力する出力手段を備えることを特徴と情報収集提供システム。
【請求項５】
ネットワークを介して送られてきた医用機器の動作状況を示す機器情報を記憶する第１のデータベースと、
遠隔地の端末装置からネットワークを介して送られてきたレポートの配信時期に関する情報を利用者の識別情報にそれぞれ関連付けて記憶する第２のデータベースと、
前記第１のデータベースに基づいて、レポートを配信する時期か判定する判定手段と、
前記判定手段の判定結果に基づいて、前記医用機器に関するレポートを作成するレポート作成手段と、
前記レポートを電子メールで送信する電子メール送信手段と、
前記レポートを記憶する第３のデータベースと、
遠隔地の端末装置からネットワークを介して送られてきた過去レポートの送信要求に応じて、前記第３のデータベースに記憶されたレポートを出力する出力手段を備えることを特徴と情報収集提供システム。
【請求項６】
ネットワークを介して送られてきた医用機器の動作状況を示す機器情報を記憶する第１のデータベースと、
遠隔地の端末装置からネットワークを介して送られてきたレポートの配信条件に関する情報を利用者の識別情報にそれぞれ関連付けて記憶する第２のデータベースと、
前記第２のデータベースに記憶された配信条件に基づいてレポートの配信を行うか判定する判定手段と、
前記判定手段での判定結果に基づいて、前記第１のデータベースに基づいて前記医用機器のレポートを作成し、そのレポートを所定の出力先にネットワークを介して送るレポート送信手段を備えることを特徴と情報収集提供システム。
【請求項７】
前記レポートは、少なくとも医用機器の稼働時間、医用機器によって撮影された患者数、検査数、Ｘ線の照射時間、患者のプラン設定時間、医用機器のアイドル時間、患者の検査時間、断層像を得たスライス数を少なくとも１つにかかる情報をグラフで表したものであることを特徴とする請求項１乃至請求項６のいずれか１項記載の情報収集提供システム。
【発明の詳細な説明】
【０００１】
【発明の属する技術分野】
本発明は、複数の医用機器の状態の情報を、利用者の要求に基づいて収集できる、医用機器状態収集システムなどに関する。
【０００２】
【従来の技術】
一般に各病院に設置される医用機器は数多くあり、これらの医用機器を有効活用することが求められ、そのためにそれらの機器の使用状況を多面的に把握することが効率化のためにも必要となっている。例えば、画像診断機器を導入し、被検体の画像情報と診断報告のための情報を提供する放射線部門では、それら画像診断機器の稼動状況や使用状況などの情報を分析し、これらの機器の有効利用を図ることが経営効率化の観点からも重要な課題である。
【０００３】
これら医用機器が設置される医療施設管理の分析や報告のためのシステムが知られている（特許文献１、２参照）。
【０００４】
しかし、これらはそれら複数の場所に設置された医用機器の情報を利用者が見たい形式で最適な情報が得られるものではなかった。
【０００５】
【特許文献１】
・特開２００２−９２１８１号公報
・特開２００２−１４０４８５号公報
【０００６】
【発明が解決しようとする課題】
本発明は、上記のような従来の医用機器情報収集システムの問題点に鑑みてなされたもので、利用者が欲しい情報を欲しい形式で得ることが可能な医用情報収集システムなどを提供することを目的とする。
【０００７】
【課題を解決するための手段】
上記目的を達成するために、本発明の請求項１によれば、医用機器の動作状況を示す機器情報をネットワークを介して収集し、その収集した機器情報に関する情報をネットワークを介して出力する情報提供方法において、遠隔地の端末装置から利用者の識別情報とレポートの出力形式に関する情報を受信するステップと、前記利用者の識別情報と前記出力形式の情報を関連付けてデータベースとして記憶するステップと、前記機器情報に基づいて、前記データベースの利用者ごとに設定された出力形式でレポートを作成し、ネットワークを介して出力するステップを備えることを特徴とする情報収集提供方法を提供する。
【０００８】
本発明の請求項２によれば、医用機器の動作状況を示す機器情報をネットワークを介して収集し、その収集した機器情報に関する情報をネットワークを介して出力する情報提供方法において、遠隔地の端末装置から利用者の識別情報とレポートの配信時期に関する情報を受信するステップと、前記利用者の識別情報と前記配信時期の情報を関連付けてデータベースとして記憶するステップと、前記機器情報に基づいて、前記データベースの利用者ごとに設定された配信時期にレポートを作成し、そのレポートを電子メールで送信するステップと、前記レポートをデータベースに記録するステップと、遠隔地の端末装置から要求に応じて、前記データベースに記憶された過去のレポートを送信するステップを備えることを特徴とする情報収集提供方法を提供する。
【０００９】
本発明の請求項３によれば、医用機器の動作状況を示す機器情報をネットワークを介して収集し、その収集した機器情報に関する情報をネットワークを介して出力する情報提供方法において、遠隔地の端末装置から利用者の識別情報とレポートの配信条件に関する情報を受信するステップと、前記利用者の識別情報と前記配信条件の情報を関連付けてデータベースとして記憶するステップと、前記機器情報を分析して前記配信条件に合致するか判定し、合致した場合に前記機器情報に基づいてレポートを作成して、所定の出力先に出力するステップを備えることを特徴とする情報収集提供方法を提供する。
【００１０】
本発明の請求項４によれば、ネットワークを介して送られてきた医用機器の動作状況を示す機器情報を記憶する第１のデータベースと、遠隔地の端末装置からネットワークを介して送られてきたレポートの出力形式に関する情報を利用者の識別情報にそれぞれ関連付けて記憶する第２のデータベースと、前記第１のデータベースに記憶された前記機器情報と前記第２のデータベースに記憶された前記出力形式に基づいて、前記医用機器に関するレポートを作成するレポート作成手段と、前記レポート作成手段で作成したレポートを、ネットワーク経由で出力する出力手段を備えることを特徴と情報収集提供システムを提供する。
【００１１】
本発明の請求項５によれば、ネットワークを介して送られてきた医用機器の動作状況を示す機器情報を記憶する第１のデータベースと、遠隔地の端末装置からネットワークを介して送られてきたレポートの配信時期に関する情報を利用者の識別情報にそれぞれ関連付けて記憶する第２のデータベースと、前記第１のデータベースに基づいて、レポートを配信する時期か判定する判定手段と、前記判定手段の判定結果に基づいて、前記医用機器に関するレポートを作成するレポート作成手段と、前記レポートを電子メールで送信する電子メール送信手段と、前記レポートを記憶する第３のデータベースと、遠隔地の端末装置からネットワークを介して送られてきた過去レポートの送信要求に応じて、前記第３のデータベースに記憶されたレポートを出力する出力手段を備えることを特徴と情報収集提供システムを提供する。
【００１２】
本発明の請求項６によれば、ネットワークを介して送られてきた医用機器の動作状況を示す機器情報を記憶する第１のデータベースと、遠隔地の端末装置からネットワークを介して送られてきたレポートの配信条件に関する情報を利用者の識別情報にそれぞれ関連付けて記憶する第２のデータベースと、前記第２のデータベースに記憶された配信条件に基づいてレポートの配信を行うか判定する判定手段と、前記判定手段での判定結果に基づいて、前記第１のデータベースに基づいて前記医用機器のレポートを作成し、そのレポートを所定の出力先にネットワークを介して送るレポート送信手段を備えることを特徴と情報収集提供システムを提供する。
【００１３】
【発明の実施の形態】
本発明の情報収集提供システムは、医用機器（医用診断装置、情報システム等）の操作者の操作情報、装置各部の信号検出情報、環境情報等の動作状況に関する情報を収集し、その内容を分析して装置の利用状況、異常発生状況、環境情報等を利用者に提供するものである。医用診断装置としては、例えば、Ｘ線断層撮影装置（ＣＴ装置）、核磁気共鳴診断装置（ＭＲＩ装置）、Ｘ線診断装置、超音波診断装置、核医学診断装置等がある。情報システムとしては、画像保管通信システム（ＰＡＣＳ）、放射線部門情報管理システム等がある。
【００１４】
以下、本発明の実施形態について図面を用いて説明する。
【００１５】
図１に、本発明において、医用機器としてＣＴ（Ｃｏｍｐｕｔｅｄ  Ｔｏｍｏｇｒａｐｈｙ）装置の情報を収集する情報提供システムの一実施形態の構成を示す。この情報提供システムはサービスセンタの情報収集提供システム１３と医療施設内システム２２からなり、これらは専用通信回線やインターネット等のネットワーク１１により接続されている。医療施設内システム２２は、Ａ病院に設置されているＣＴ装置ＣＴ１とサービスプロセッサＳＰ１と、Ｂ病院に設置されているＣＴ装置ＣＴ２とサービスプロセッサＳＰ２とＣ病院に設置されているＣＴ装置ＣＴ３とサービスプロセッサＳＰ３を備えている。これらのサービスプロセッサは、医療施設内のローカルエリアネットワークを介して対応するＣＴ装置からの情報を受信し、その情報を蓄積すると共にサービスセンタの情報収集提供システム１３へ送信する。この送信は、定期的にサービスプロセッサから情報収集提供システム１３へ送信しても良いし、情報収集提供システム１３からの要求に応じて行うようにしても良い。クライアント端末１２は、電子メールの送受信を行うためのメールプログラムと、ウェブサーバ１９と交信して情報の表示や入力を行うためのウェブブラウザを備えている。
【００１６】
情報収集提供システム１３は、各病院のサービスプロセッサから送信されたＣＴ装置の情報を受信するＦＴＰサーバ１５と、ＣＴ装置の情報を分析して通知用のレポートを作成するアプリケーションサーバ１６と、ＣＴ装置の情報をデータベースとして記憶する機器利用情報データベース（ＤＢ）１７と、必要な情報を電子メールとして登録されている所定のメールアドレスに対して送信するメール配信サーバ１８と、クライアント端末１２のウェブブラウザからの要求に応じてＨＴＭＬ形式で情報を送信するウェブサーバ１９と、電子メールで送信したレポート情報の保存を行うレポート保存ＤＢ２０、レポート配信にかかる利用者ごと設定条件を記憶した設定情報ＤＢ２１を備えている。レポート保存ＤＢ２０は、レポートを電子メールで送信した日、メールアドレス等の通知先の情報、レポートの情報を関連付けたデータベースである。設定情報ＤＢ２１は、利用者を特定するための識別情報（ユーザＩＤ）、定期レポートの配信時期、定期レポートの形式、定期レポートの通知先（メールアドレス等）、緊急通知の判定条件、緊急レポートの形式、緊急レポートの通知先の情報、ウェブブラウザによる閲覧用のレポート形式等を関連付けて記憶したデータベースである。
【００１７】
Ａ病院、Ｂ病院、Ｃ病院、におけるサービスプロセッサＳＰ１、ＳＰ２、ＳＰ３は、各ＣＴ装置ＣＴ１，ＣＴ２，ＣＴ３の情報を所定の時間間隔で、ネットワーク１１を介して情報収集提供システム１３に送る。一方、情報収集提供システム１３は、その収集されたＣＴ装置の情報を分析して報告用のレポートを作成し、情報を必要とする医師、技師、管理者等のメールアドレスに対して定期的に、あるいは緊急に連絡が必要な場合には即時に送信する。
【００１８】
まず、サービスプロセッサＳＰ１、ＳＰ２、ＳＰ３から情報収集提供システム１３に送信される各ＣＴ装置ＣＴ１，ＣＴ２，ＣＴ３の情報について説明する。ＣＴ装置において発生する情報には、故障情報、修理状況などのメインテナンス情報、装置の稼動状況を示す機器そのものに関する情報（機器情報）と、その装置により誰がどの患者のどの部位のどのような画像をいつ撮ったかを示す利用情報があるが、ここでは両者を含めて機器利用情報ということにする。
【００１９】
ＣＴ装置の場合、後者の利用情報は例えば図５に示すような形式で、利用情報ＤＢ１７に記録され蓄積される。即ちこの利用情報は、撮影の年月日毎に、検査番号により特定される患者ＩＤ、検査者（放射線技師名）、放射線科医師、依頼元名、検査カテゴリー（検査ＩＤ）、設定プランと、検査開始時刻、Ｘ線照射開始時刻、Ｘ線照射終了時刻、再構成開始時刻、再構成終了時刻、検査終了時刻から成っている。
【００２０】
図２（Ａ）は、機器情報収集提供システム１３が行う電子メールによるレポート通知動作のフローチャートである。
【００２１】
ステップＳ２０１では、ＦＴＰサーバ１５で機器利用情報の受信があったかを判定する。機器利用情報の受信が合った場合はステップＳ２０２へ、無かった場合はＳ２０５へ進む。ステップＳ２０２では、機器利用情報の収集を行う。サービスプロセッサＳＰ１，ＳＰ２，ＳＰ３は、各ＣＴ装置ＣＴ１，ＣＴ２，ＣＴ３から収集した機器利用情報を、暗号化したファイルとしてＦＴＰサーバ１５へ送信する。ＦＴＰサーバ１５はこの機器利用情報のファイルを受信し、この機器利用情報はアプリケーションサーバ１６を経由して機器利用情報ＤＢ１７に保存される。
【００２２】
ステップＳ２０３では、緊急通知（アラート）の要否を判定する。アプリケーションサーバ１６は、収集した機器利用情報に対応する利用者の緊急通知判定条件を設定情報ＤＢ２１から読み出し、その判定条件に機器利用情報が合致するか判定を行う。緊急送信の条件に合致した場合はステップＳ２０４へ進み、合致しない場合はＳ２０１へ戻る。ステップＳ２０４では、機器の異常を利用者へ緊急通知する。アプリケーションサーバ１６は、ＣＴ装置の利用者の識別情報に対応する緊急レポートの形式を設定情報ＤＢ２１から読み出し、その緊急レポートの形式及び機器利用情報の分析結果に基づいて機器の状態を表す数値やグラフを含むレポートを作成する。メール配信サーバ１８は、この作成したレポートを、設定情報ＤＢ２１に登録されている緊急通知先へ電子メールで送信し、利用者へ機器の異常を知らせる。又、同時に、アプリケーションサーバ１６は、この緊急レポートと、送信日と、関連する医用機器の識別情報（ＩＤ）、電子メールの送信先をレポート保存ＤＢ２０に保存する。
【００２３】
ステップＳ２０５では、定期レポートの配信時期かどうかの判定を行う。アプリケーションサーバ１６は、タイマー等を用いて各利用者のレポートの配信時期になっているか判定を行う。この配信時期は、設定情報ＤＢ２１に保存されている利用者毎の設定に基づいて行い、レポート種別ごとにそれぞれ設定できる。又、この配信時期は、このサービスの契約年月日に基づいて配信月等を計算するようにしても良い。配信時期になっているものがある場合はステップＳ２０６へ進み、ない場合はＳ２０１へ戻る。ステップＳ２０６では、機器の定期レポートを電子メールで利用者へ通知する。アプリケーションサーバ１６は、配信する利用者の定期レポート形式を設定情報ＤＢ２１から読み出すと共に、機器利用情報ＤＢ１７の機器利用情報を分析して、その定期レポートの形式で機器の状態を表す数値やグラフを含むレポートを作成する。メール配信サーバ１８は、この作成したレポートを、設定情報ＤＢ２１に登録されている定期通知先へ電子メールで送信し、利用者へ定期的な報告を行う。又、同時に、アプリケーションサーバ１６は、この定期レポートと、送信日と、電子メールの送信先をレポート保存ＤＢ２０に保存する。
【００２４】
図２（Ｂ）は、利用者のウェブブラウザからの要求に対して機器情報収集提供システム１３が行う動作のフローチャートである。
【００２５】
利用者が、クライアント端末のウェブブラウザを操作してサービスセンタのホームページにアクセスすると、ステップＳ２０７ではユーザＩＤ及びパスワードの確認を行う。ユーザＩＤ及びパスワードが適正であればＳ２０８へ進む。尚、この承認は、ＳＳＬ等の暗号通信技術を用い、所定の承認サーバーで適正なユーザであるか確認を行うようにしてもよい。
【００２６】
ステップＳ２０８では、クライアント端末１２のウェブブラウザ上で利用者がレポートの閲覧要求を指示したかを判定する。指示があった場合はステップＳ２０９へ、無い場合はＳ２１０へ進む。ステップＳ２０９では、利用されている頻度の高いレポート形式を求める。アプリケーションサーバ１６は、設定情報ＤＢ２１から各利用者によって登録されている定期レポート及び緊急レポートの形式を読み出して分析し、登録されているレポート形式の中で頻度の高いものを求める。例えば、レポートでのグラフの表示形態、表示期間、評価項目、評価観点等の少なくとも１つについて利用されている頻度の高い設定値を推奨値とする。
【００２７】
ステップＳ２１０では、ウェブブラウザ上で指定されたレポートの形式に基づいて機器の利用状況のレポートを提供する。アプリケーションサーバ１６は、設定情報ＤＢ２１からその利用者用に登録されているウェブブラウザによる閲覧用のレポート形式を読み出し、そのレポート形式に従って、機器の状況の分析結果を表すレポートを作成し、ウェブサーバ１９経由でウェブブラウザへ送信する。ウェブブラウザ用のレポート形式が登録されていない場合は、ステップＳ２０９で求めた推奨値に基づいてレポートを作成する。又、利用者が、ウェブブラウザ上でレポート形式を種々変更することにより、必要に応じて種々レポート形式で機器の状況を確認することができる。
【００２８】
ステップＳ２１１では、クライアント端末１２のウェブブラウザ上で利用者が過去のレポートの閲覧要求を指示したかを判定する。指示があった場合はステップＳ２１１へ、無い場合はＳ２１２へ進む。ステップＳ２１２では、電子メールで過去に送信し定期及び緊急レポートの提供を行う。アプリケーションサーバ１６はレポート保存ＤＢ２０を検索し、現在の利用者の過去に送信したレポートを検索し、その一覧の情報をウェブサーバ１９経由でウェブブラウザへ送信する。ウェブブラウザ上にはその一覧が表示され、利用者がその一覧の中から必要なものを選択すると、その選択情報がアプリケーションサーバ１６に送られる。アプリケーションサーバ１６は選択されたレポートの情報をレポート保存ＤＢから読み出してウェブブラウザに対して送信し、ウェブブラウザ上には過去に電子メールで送信されたレポートと同じ内容のものが表示される。
【００２９】
ステップＳ２１３では、クライアント端末１２のウェブブラウザ上で利用者が電子メールにより配信する定期及び緊急レポートの形式の変更を指示したかを判定する。要求があった場合はステップＳ２１４へ、無い場合はＳ２１６へ進む。ステップＳ２１４では、利用されている頻度の高いレポート形式を求める。アプリケーションサーバ１６は、設定情報ＤＢ２１から各利用者によって登録されている定期レポート及び緊急レポートの形式を読み出して分析し、登録されているレポート形式の中で頻度の高いものを求める。
【００３０】
ステップＳ２１５では、利用者のウェブブラウザへの入力に基づいて定期レポートの形式、緊急レポートの形式を登録・変更する。ウェブサーバ１９は、クライアント端末１２のウェブブラウザからの要求に応じて、レポート形式の変更画面を表示するための信号をウェブブラウザへ送信する。利用者が、その表示された画面上でレポート形式の指定を行うと、そのレポート形式がウェブサーバ１９及びアプリケーションサーバ１６を経由して設定情報ＤＢ２１に保存される。これによりステップＳ２０４、ステップＳ２０６で利用者へ送信される定期、緊急レポートの形式を、その利用者自身で任意のものに設定することができる。
【００３１】
尚、レポート形式を指定する際、推奨形式の表示を選択すると、ステップＳ２０１で求めた利用されている頻度の最も高いレポートの形式を推奨形式として表示する。利用者は、この推奨形式の登録をウェブブラウザ上で指定すると、この推奨形式が設定情報ＤＢ２１に登録され、定期、緊急レポートがこの推奨形式で配信されるようになる。
【００３２】
ステップＳ２１６では、クライアント端末１２のウェブブラウザ上で利用者から緊急通知の判定条件の変更指示があったかを判定する。指示があった場合はステップＳ２１７へ、無い場合はＳ２１８へ進む。ステップＳ２１７では、利用者のウェブブラウザへの入力に基づいて緊急レポートの判定条件の登録、変更する。ウェブサーバ１９は、クライアント端末１２のウェブブラウザからの要求に応じて、緊急通知判定条件の変更画面を表示するための信号をウェブブラウザへ送信する。
【００３３】
利用者が、その表示された画面上で温度、湿度、入力電力レベルなどの緊急通知を行うかどうか判定するための条件の指定すると、その条件がウェブブラウザ１９及びアプリケーションサーバ１６を経由して設定情報ＤＢ２１に送られ緊急通知条件として保存される。これによりステップＳ２０３における緊急通知の要否の判定条件を、利用者が使用状況に合わせて任意のものに設定することが可能になる。
【００３４】
ステップＳ２１８では、クライアント端末１２のウェブブラウザ上で利用者からログオフの指示があったか判定する。指示があった場合は終了処理を行い、無い場合はＳ２０８へ戻る。
【００３５】
次に、情報収集提供システム１３から送信する機器利用情報の指定及び表示形式を、クライアント端末１２のウェブブラウザから情報収集提供システム１３に送る、送信設定モードについて図３を用いて説明する。図３においてステップＳ３０１で、クライアント端末１２からこのサービスの申込みがあると、情報収集提供システム１３内のウェブサーバ１９が受け、送信を受けたい情報及び送信形式を指定するための設定画面を、上記クライアント端末１２に送信する（ステップＳ３０２）。
【００３６】
ステップＳ３０３では、ユーザＩＤ及びパスワードの入力をして承認作業を行った後、クライアント端末１２に設定画面を表示する。ステップＳ３０４では表示された設定画面で、欲しい情報及びどのような形式で表示するかを示す情報を入力する。尚、このとき利用者がクライアント端末１２から入力する設定画面については後述する。
【００３７】
次のステップＳ３０５では、利用者が入力したユーザＩＤと設定情報をクライアント端末１２からウェブサーバ１９に送信し、ウェブサーバ１９はこの設定情報の保存をアプリケーションサーバ１８に依頼する（ステップＳ３０６）。アプリケーションサーバ１６は設定情報を設定情報ＤＢ２１に送り、このデータベースに設定情報をユーザＩＤと関連付けて記憶する。
【００３８】
次に、利用者が所定の表示形式で機器利用情報を表示する場合について、図４を用いて説明する。利用者は、情報収集提供システム１３の機器利用情報ＤＢ１７に記憶されている各ＣＴ装置の機器利用情報を自分が予め設定入力した形式で表示したい場合には、図４のステップＳ４０１に示すように、まずクライアント端末１２から、ユーザＩＤを入力してサービスを求めそのデータが情報収集提供システム１３内のアプリケーションサーバ１６に送られる。アプリケーションサーバ１６は送られてきたユーザＩＤに基づいて機器利用情報ＤＢ１７に記憶されている設定情報を検索する（ステップＳ４０２）。
【００３９】
ステップＳ４０３では、検索された設定情報に設定値があるかどうか調べられ、設定値があればその旨アプリケーションサーバ１６に送られる。一方、検索された設定情報に設定値がない場合にはステップＳ４０４において一般的に利用状況の多い値を設定値としてその設定情報をアプリケーションサーバ１６に送る。アプリケーションサーバ１６はステップＳ４０５でその設定情報を機器利用情報ＤＢ１７に送り、ステップＳ４０６ではその設定情報に基づく機器利用情報（１次データ、例えば図５に示されるもの）を取得し、ウェブサーバ１９に送る。
【００４０】
ウェブサーバ１９は、受け取った１次データを、先に設定されたレポートのグラフ、表、数値等を作成するための２次データ（指標項目の値）を求め、この２次データに基づいてレポートを作成してクライアント端末１２に送る（ステップＳ４０８）。クライアント端末１２では、この送られたレポートを表示する。
【００４１】
次に、利用者が、クライアント端末１２のウェブブラウザを用いて操作を行う場合について説明する。
【００４２】
図６（Ａ）は、ユーザ承認後にクライアント装置１２のウェブブラウザ上に最初に表示される入力画面の例である。図６（Ａ）において、「トラブル・ビュー」は、各対象機器にトラブルがあったかどうか、その履歴を見るための項目であり、「トピックス」は最近の話題を見るための項目であり、「ビリング・ビュー」は請求書関係を見るための項目であり、「トレンド・ビュー」は最近の傾向を見るための項目であり、「利用・環境状況ビュー」の項目は機器の利用状況や環境状況を見るためのものであり、「アラート条件の設定」は、定期レポート、緊急レポートの設定を変更するための項目である。
【００４３】
図６（Ｂ）は利用状況、環境状況を表示するための画面であり、ステップ２１０で使用される。この画面は図６（Ａ）の画面で「利用・環境状況」の項目をクリックすることにより表示できる。サイト入力部６１にサイト即ちこの場合病院名、例えばＡ病院を選択入力し、対象装置入力欄６２に診断装置として例えばＣＴ装置ＣＴ１を選択入力する。これによりデータ表示領域６３，６４には、その診断装置についての利用状況、環境情報等が表示される。その下の形式設定ボタン６５，６６をクリックすると、データ表示領域６３，６４の表示形式を設定するための画面が現れ、表示形式やデータの範囲等を変えることができる。形式設定ボタン６５、６６は、後述する図８（Ａ）と同様のものが使用できる。
【００４４】
これらの選択可能な設定値は、現在までの選択される内容の多いもの、例えばデータ期間として４半期を選択されることが多ければ、この４四半期を初期値として設定しておき、利用者が特別、設定を変えなければその初期設定値を選択するようにすればよい。このようにすれば、利用者は特別設定しなくとも、最も多い設定値を選ぶことができ、設定値が多い場合などでも極めて容易に設定を行うことができる利点がある。データ期間だけでなく他の設定値でも同様である。
【００４５】
図７はレポートの通知条件を設定するためのものであり、図６（Ａ）の画面で「アラート条件の設定」の項目をクリックすることにより表示できる。この画面はステップＳ２１５で使用される。サイト入力部７０１はレポートの対象となる病院等の医療施設を、対象装置入力部７０２は対象となる医用診断装置を指定するための入力部である。データ表示領域７０３，７０４には、指定された医療施設、診断装置にかかる分析結果のデータが図、表、数値等として表示される。データ表示領域７０３，７０４の表示形式を変更する場合は、形式設定ボタン７０９，７１０を押すことにより、表示形式設定のための画面を表示させることができる。
【００４６】
尚、入力部への入力は、直接項目等を入力する方法、提示された選択項目の中から選択して入力方式のいずれもでも良い。表示形式を設定した後に定期レポート形式設定ボタン７０５を押すと、現在データ表示領域７０３，７０４の表示に用いている表示形式を定期レポート形式として設定情報ＤＢ２１に登録される。これにより、ステップＳ２０６の定期レポートは、以後、この形式で送信される。又、緊急レポート形式設定ボタン７０６を押した場合は緊急レポート形式として、ブラウザ形式設定ボタン７０７を押した場合はウェブブラウザでの閲覧用のレポート形式として、それぞれ利用者ＩＤに関連付けて設定情報ＤＢ２１に記憶される。
【００４７】
図８（Ａ）は、形式設定ボタン７０９，７１０を押した時に表示される形式設定画面である。指標項目入力部８１１は図表にする指標項目（検査数、Ｘ線照射時間、温度、湿度等）を、指標条件入力部８１２は各観点の区間ごとのデータ抽出条件（合計、最大値、平均値、最小値等）を、部位入力部８１３は被検者の部位（全て、頭部、胸部等）を、期間入力部８１４は図表において統計分析する機器利用情報の発生日の期間を、図表の種類入力部８１５は図表の種類を、観点入力部８１６は図表の変化を見る時間、人、装置、検査計画の種類等の観点の項目（図表のＸ軸にあたる項目で、月ごと、週ごと、検査技師別、装置別、検査プラン別等）を、ベンチマーク入力部８１７は比較対象となる医用診断機器を、画質入力部８１８は表示する図表の画質の高中低をそれぞれ設定するための入力部である。
【００４８】
設定ボタン８１９は、その画面で入力された表示形式を対応するデータ表示領域７０３，７０４の設定条件として設定するための入力ボタンである。形式自動設定ボタン８２１は、ステップＳ２１０、Ｓ２１４で求めた推奨形式に基づいて表示形式の候補を自動設定するための入力ボタンであり、このボタンを押すことにより、指標項目、指標条件、図表の種類、観点、期間の少なくとも１つが利用されている頻度の高いものに自動的に設定される。ベンチマークでは、同じ病院内の同種の機器間や、異なる病院の同種機器間で比較を行えるようにする。
【００４９】
図８（Ｂ）は、レポート通知条件設定ボタン７０８を押した時に表示される電子メールよるレポートの通知条件を設定するための画面である。この画面はＳ２１７で使用され、又、ここで設定した通知判定条件はステップＳ２０３、Ｓ２０５で使用される。検出項目入力部８２０は緊急レポートの通知判定条件の検出項目（温度、湿度、入力電力レベル等）を、検出条件入力部８２１は検出条件の値を、アドレス入力部８２２は緊急レポートの通知先を設定するための入力部である。定期通知条件入力部８２３は定期通知時期の条件（週ごと、月ごと、四半期ごと等）を、アドレス入力部８２３は定期レポートの通知先を設定するための入力部である。各入力部に入力完了後、設定ボタン８２５を押すことにより、この画面で設定された通知条件が利用者ＩＤに関連付けて設定情報ＤＢ２１に記憶される。
【００５０】
図９（ａ）は、所定期間における温度変化のグラフをクライアント端末１２の画面上に表示する例である。このグラフは、指標項目入力部８１１を”温度”、指標条件入力部８１２を”１日の平均”、期間入力部８１４を”２００２年３月３日から２００２年５月３日”に指定した場合の表示例である。この図において横軸は年月日であり、縦軸は華氏温度（Ｆ）を示す。このグラフにおいて、５５度及び８５度付近の点線は、温度がこれ以上下降しあるいは上昇すると、装置として危険ラインになることを示す直線であり、例えば、このような温度に接近したときには、メールサーバ１８により、クライアント端末１２に温度が危険ラインに近づいていることを利用者に知らせることが可能である。
【００５１】
なお、図６の入力画面において、入力欄６３に温度と入力し、入力欄６４に、１日の最高値及び最低値を選択入力すれば、当該機器の各日における最高温度と最低温度を表示することができる。図９（ｂ）は、指標項目８１０を”湿度”にした場合の表示例である。これによりＣＴ装置ＣＴ１の所定期間内における湿度の経時変化を、クライアント端末１２の画面上で知ることができる。この図における、３５％、５５％における点線も湿度の危険ラインを示す。図９（ｃ）は、指標項目８１０を”入力電力レベル”にした場合の表示例である。これにより、２００２年３月３日から２ヶ月間の入力電力レベル（Ｖ）を経時的にグラフで表示することができる。この場合における１９５Ｖ及び２２０Ｖ付近の点線も入力電力レベルの危険ラインを示す。
【００５２】
図９（ｄ）は、指標項目８１０を”スライス数”にした場合の表示例である。このグラフではＣＴ装置で収集したＸ線断面像の月ごとの合計スライス数を表示している。又、部位入力欄８１３に”頭部”を指定すると、頭部のＸ線断層像の合計スライス数をグラフで表示することができる。
【００５３】
図１０は、期間入力部８１４の値を変更した場合の表示例である。図１０（ａ）（ｂ）（ｃ）はそれぞれ、直近の４週間、４四半期、１２ヶ月を選択した場合の表示例を示している。
【００５４】
図１１は、設定情報ＤＢ２１に記憶されている利用者ごとのレポートの設定状況を表した図である。この図は、利用者がレポート用に設定している診断装置の種類、指標項目ごとの使用回数、観点ごとの使用回数、指標項目と観点の組合せごとの使用回数を記載している。使用回数ごとの合計が求められ、その合計から指標項目ごとの利用率、観点ごとの利用率、指標項目と観点の組合せごとの利用率を求めている。この利用率の高いものが最も使用されている頻度が高い設定値であり、ステップＳ２０９、Ｓ２１４ではこの値を推奨値として求めている。
【００５５】
表１は、診断装置から収集した１次データをグラフ、表等を生成するための指標項目の値（２次データ）に変換する例を示している。アプリケーションサーバ１６は、診断装置から収集した１次データをこの表のような算出方法により２次データに変換している。
【００５６】
【表１】
2004254952.tif 000003
上記実施形態によれば、利用者がウェブブラウザから機器のレポートを見る方式のみでは利用者がレポートを見忘れる可能性があったが、上述した本発明の実施の形態によれば、電子メールで利用者にレポートが画配されるためウェブブラウザによる閲覧に比べて見忘れを防ぐことができる。
【００５７】
又、サービスセンタの情報収集提供システム１３に利用者毎にレポート形式を保存しているので、ウェブブラウザからレポートを閲覧する際、ユーザＩＤを入力するだけでその形式に対応したレポートを参照することができる。又、利用者ごとに電子メールで配信される定期、緊急レポートの形式を保存しているので、配信されるレポートの形式を利用者自身で任意に変更することができる。
【００５８】
又、機器の異常に異常が発生した際、電子メール、ファクシミリ等で自動的に通知を行うので、利用者に素早く通知することができる。又、緊急通知を行う判定条件を利用者自身で変更することができるので、その利用者の状況に合わせた緊急通知を行うことができる。
【００５９】
又、電子メールで送信したレポートがデータベースとして保管されているため、過去のレポートが必要になった時容易に閲覧することができる。
【００６０】
尚、上記実施形態では、クライアント端末から機器情報又は利用情報の種類、表示形式のみを送っていたが、いつ、どれくらいの時間間隔で送るかの送信時情報も設定情報として送信することもできる。又、上記実施形態では電子メールによるレポート配信を行っていたが、ファクシミリ等によるレポートの配信を行うようにしても良い。
【００６１】
【発明の効果】
本発明によれば、利用者が欲しい情報を欲しい形式で得ることが可能な医用情報収集システムなどを得ることができる。
【図面の簡単な説明】
【図１】本発明の一実施形態の構成例を示す図。
【図２】本発明の一実施形態全体の動作説明を行うための図。
【図３】本発明の一実施形態においてクライアント端末から設定情報を送るときの動作を説明するための図。
【図４】本発明の一実施形態において、設定情報に基づいて所定の情報をクライアント端末で取得し表示する動作を説明する為の図。
【図５】本発明の一実施形態における利用情報の一例を示す図。
【図６】本発明の一実施形態の表示画面の例を示す図。
【図７】本発明の一実施形態の表示画面における入力例を示す図。
【図８】本発明の一実施形態の表示画面の例を示す図。
【図９】本発明の一実施形態のレポートの例を示す図。
【図１０】本発明の一実施形態のレポートの例を示す図。
【図１１】本発明の一実施形態のレポートの設定状態を表す図。
【符号の説明】
１１・・・ネットワーク、ＣＴ１，ＣＴ２，ＣＴ３・・・ＣＴ装置、ＳＰ１，ＳＰ２，ＳＰ３・・・サービスプロセッサ、１２・・・クライアント端末、１３・・・情報収集提供装置、１５・・・ＦＴＰサーバ、１６・・・アプリケーションサーバ、１７・・・機器利用情報ＤＢ、１８・・・メール配信サーバ、１９・・・ウェブサーバ、２０・・・レポート保存ＤＢ、２１・・・設定情報ＤＢ、２２・・・医療施設内システム。
【図１】
2004254952.tif 000004
【図２】
2004254952.tif 000005
【図３】
2004254952.tif 000006
【図４】
2004254952.tif 000007
【図５】
2004254952.tif 000008
【図６】
2004254952.tif 000009
【図７】
2004254952.tif 000010
【図８】
2004254952.tif 000011
【図９】
2004254952.tif 000012
【図１０】
2004254952.tif 000013
【図１１】
2004254952.tif 000014